(57)【要約】【課題】ＯＳＤ情報により被写体の画像が見にくくなることなく、ユーザーに被写体の画像とＯＳＤ情報とを同時に確認させることができる撮像装置を提供する。【解決手段】光学部１０１は、焦点距離を調整して光学画像を得る。撮像部１０１は、光学部１０１で得た光学画像を電気信号である撮像画像に変換する。ＯＳＤ情報頂上部１０６は、撮像画像にＯＳＤ情報を重畳して表示部に表示させる。画像分割部１０８は、撮像画像を複数の領域に分割する。合焦算出部１０３は、画像分割部１０８で分割した領域ごとに撮像画像に基づいて光学部１０１の合焦の度合いを算出する。ＯＳＤ表示位置制御部１０３は、合焦算出部１０３の算出した合焦の度合いに基づいてＯＳＤ情報重畳部１０６が重畳するＯＳＤ情報の表示位置を制御する。【選択図】図１
2012234022.tif 000002
【特許請求の範囲】
【請求項１】
焦点距離を調整して光学画像を得る光学部と、
前記光学部で得た光学画像を電気信号である撮像画像に変換する撮像部と、
前記撮像画像にＯＳＤ情報を重畳して表示部に表示させるＯＳＤ情報重畳部と、
前記撮像画像を複数の領域に分割する画像分割部と、
前記画像分割部で分割した領域ごとに前記撮像画像に基づいて前記光学部の合焦の度合いを算出する合焦算出部と、
前記合焦算出部の算出した合焦の度合いに基づいて前記ＯＳＤ情報重畳部が重畳するＯＳＤ情報の表示位置を制御するＯＳＤ表示位置制御部と
を備えることを特徴とする撮像装置。
【請求項２】
前記ＯＳＤ表示位置制御部は
前記合焦算出部で算出した合焦の度合いが最も小さい領域をＯＳＤ情報の表示位置とするよう制御する
ことを特徴とする請求項１に記載の撮像装置。
【請求項３】
前記合焦算出部は
前記画像分割部で分割した領域の撮像画像の高周波成分の大きさに対応して合焦度合いを算出する
ことを特徴とする請求項１または２に記載の撮像装置。
【請求項４】
光学部の焦点距離を調整して光学画像を得る光学ステップと、
前記光学ステップで得た光学画像を電気信号である撮像画像に変換する撮像ステップと、
前記撮像画像にＯＳＤ情報を重畳して表示部に表示させるＯＳＤ情報重畳ステップと、
前記撮像画像を複数の領域に分割する画像分割ステップと、
前記画像分割ステップで分割した領域ごとに前記撮像画像に基づいて前記光学部の合焦の度合いを算出する合焦算出ステップと、
前記合焦算出ステップの算出した合焦の度合いに基づいて前記ＯＳＤ情報重畳ステップが重畳するＯＳＤ情報の表示位置を制御するＯＳＤ表示位置制御ステップと
を含むことを特徴とする撮像方法。
【請求項５】
光学部の焦点距離を調整して光学画像を得る光学機能と、
前記光学機能が得た光学画像を撮像部に電気信号である撮像画像に変換させる撮像機能と、
前記撮像画像にＯＳＤ情報を重畳して表示部に表示させるＯＳＤ情報重畳機能と、
前記撮像画像を複数の領域に分割する画像分割機能と、
前記画像分割機能が分割した領域ごとに前記撮像画像に基づいて前記光学機能の合焦の度合いを算出する合焦算出機能と、
前記合焦算出機能の算出した合焦の度合いに基づいて前記ＯＳＤ情報重畳機能が重畳するＯＳＤ情報の表示位置を制御するＯＳＤ表示位置制御機能と
をコンピューターに実現させることを特徴とする撮像プログラム。
【発明の詳細な説明】
【技術分野】
【０００１】
本発明は、被写体の画像を撮像する撮像装置、撮像方法および撮像プログラムに関する。
【背景技術】
【０００２】
ビデオカメラやデジタルスチルカメラなど、被写体を撮像して画像を得る撮像装置では、構図などを確認するため、ビューファインダーや液晶モニターなどの画像表示部に、撮像した被写体の画像を表示している。そして、撮像装置の設定状態などを確認するため、画像表示部に表示する画像に、文字やアイコンからなるＯＳＤ（On Screen Display）情報を、重畳して表示することも一般的に行われている。
【０００３】
しかし近年、カメラが多機能になり設定項目が増えるにつれ、表示するＯＳＤ情報が増加し、被写体の画像が見にくくなってきている。そのため、撮像した画像から人物の顔を認識し、ＯＳＤ情報の表示位置が顔の表示エリアと重なる場合には、顔の表示エリアと重ならないようにＯＳＤ情報の表示位置を移動させる画像表示装置が提案されている（たとえば、特許文献１参照）。
【先行技術文献】
【特許文献】
【０００４】
【特許文献１】特開２００７−１９９３１１号公報
【発明の概要】
【発明が解決しようとする課題】
【０００５】
特許文献１に記載の画像表示装置を用いれば、人物の顔にＯＳＤ情報が重なってしまうことがない。しかしながら、撮像したい被写体が人物の顔でないときは、ＯＳＤ情報が被写体と重なってしまい、被写体の画像が見にくくなってしまうという問題があった。
【０００６】
そこで、本発明が解決しようとする課題は、ＯＳＤ情報により被写体の画像が見にくくなることなく、ユーザーに被写体の画像とＯＳＤ情報とを同時に確認させることができる撮像装置、撮像方法および撮像プログラムを提供することにある。
【課題を解決するための手段】
【０００７】
上記の課題を解決するために、本願発明は以下の装置、方法、プログラムを提供するものである。
１）焦点距離を調整して光学画像を得る光学部（１０１）と、光学部（１０１）で得た光学画像を電気信号である撮像画像に変換する撮像部（１０１）と、撮像画像にＯＳＤ情報を重畳して表示部に表示させるＯＳＤ情報重畳部（１０６）と、撮像画像を複数の領域に分割する画像分割部（１０３）と、画像分割部（１０３）で分割した領域ごとに撮像画像に基づいて光学部（１０１）の合焦の度合いを算出する合焦算出部（１０３）と、合焦算出部（１０３）の算出した合焦の度合いに基づいてＯＳＤ情報重畳部（１０６）が重畳するＯＳＤ情報の表示位置を制御するＯＳＤ表示位置制御部（１０３）とを備えることを特徴とする撮像装置。
２）ＯＳＤ表示位置制御部（１０３）は合焦算出部（１０３）で算出した合焦の度合いが最も小さい領域をＯＳＤ情報の表示位置とするよう制御することを特徴とする１）に記載の撮像装置。
３）合焦算出部（１０３）は画像分割部（１０３）で分割した領域の撮像画像の高周波成分の大きさに対応して合焦度合いを算出することを特徴とする１）または２）に記載の撮像装置。
４）光学部の焦点距離を調整して光学画像を得る光学ステップと、光学ステップで得た光学画像を電気信号である撮像画像に変換する撮像ステップと、撮像画像にＯＳＤ情報を重畳して表示部に表示させるＯＳＤ情報重畳ステップ(ステップＳ５０７)と、撮像画像を複数の領域に分割する画像分割ステップ(ステップＳ５０１)と、画像分割ステップ(ステップＳ５０１)で分割した領域ごとに撮像画像に基づいて光学部の合焦の度合いを算出する合焦算出ステップ(ステップＳ５０２)と、合焦算出ステップ(ステップＳ５０２)の算出した合焦の度合いに基づいてＯＳＤ情報重畳ステップ(ステップＳ５０７)が重畳するＯＳＤ情報の表示位置を制御するＯＳＤ表示位置制御ステップ(ステップＳ５０７)とを含むことを特徴とする撮像方法。
５）光学部の焦点距離を調整して光学画像を得る光学機能と、光学機能が得た光学画像を撮像部に電気信号である撮像画像に変換させる撮像機能と、撮像画像にＯＳＤ情報を重畳して表示部に表示させるＯＳＤ情報重畳機能と、撮像画像を複数の領域に分割する画像分割機能と、画像分割機能が分割した領域ごとに撮像画像に基づいて光学機能の合焦の度合いを算出する合焦算出機能と、合焦算出機能の算出した合焦の度合いに基づいてＯＳＤ情報重畳機能が重畳するＯＳＤ情報の表示位置を制御するＯＳＤ表示位置制御機能とをコンピューターに実現させることを特徴とする撮像プログラム。
【発明の効果】
【０００８】
本発明の撮像装置、撮像方法および撮像プログラムによれば、ＯＳＤ情報により被写体の画像が見にくくなることなく、ユーザーに被写体の画像とＯＳＤ情報とを同時に確認させることができる。
【図面の簡単な説明】
【０００９】
【図１】本発明の撮像装置の一実施形態であるビデオカメラのブロック構成図である。
【図２】ビデオカメラの液晶モニターに表示されるＯＳＤ情報と画像信号の領域分割の例である。
【図３】ビデオカメラの液晶モニターに表示される画面の例である。
【図４】画像信号の各領域の合焦評価値の例を示す模式図である。
【図５】ＯＳＤ情報の表示エリアを決定する処理の第１の例の流れを示すフローチャートである。
【図６】ＯＳＤ情報の表示エリアを決定する処理の第２の例の流れを示すフローチャートである。
【発明を実施するための形態】
【００１０】
以下、本発明の撮像装置の一実施形態であるビデオカメラについて、添付図面を参照して説明する。
[ビデオカメラの構成]
図１は本発明の撮像装置の一実施形態であるビデオカメラ１０のブロック構成図である。図１において、撮像部１０１は、レンズと、ＣＣＤ(Charge Coupled Device )やＣＭＯＳ(Complementary Metal Oxide Semiconductor)などの撮像素子とを備えている。撮像部１０１のレンズは、自動または手動で焦点距離を調整する機能を備えている。焦点距離を適切に調整されたレンズによって撮像素子に結像した被写体の光学画像を撮像素子で光電変換し、被写体の画像データを得る。撮像部１０１は、撮像素子で得た被写体の画像データを、画像処理部１０２とフォーカス検出部１０３とに送る。
【００１１】
画像処理部１０２は、撮像部１０１から供給された画像データに所定の画像処理を行って画像信号を生成し、生成した画像信号をＯＳＤ処理部１０６と画像圧縮部１０４とに送る。
【００１２】
画像圧縮部１０４は、制御部１１１の指示に従って、送られた画像信号を、ＭＰＥＧ(Moving Picture Experts Group)−２やＨ．２６４など所定の規格に基づいてディジタル画像圧縮し、記録部１０５に送る。記録部１０５はフラッシュメモリなどで構成されており、画像圧縮部１０４から送られたディジタル画像信号を、制御部１１１の指示に従って記録する。
【００１３】
ＯＳＤ処理部１０６は、制御部１１１の指示に従って、後述のように各種のアイコンや文字情報などのＯＳＤ情報２０２を生成し、画像信号の所定の位置にＯＳＤ情報２０２を重畳する。
【００１４】
ＯＳＤ処理部１０６はまた、撮像のときの画角や傾きの目安となるよう、垂直のガイド線２０３（２０３ａ、２０３ｂ）と、水平のガイド線２０４（２０４ａ、２０４ｂ）とを、画像信号に重畳する。ガイド線は撮像の目安であるので、ＯＳＤ処理部１０３はガイド線を常時同じ位置に重畳するが、メニューの設定などでユーザーの好みに応じ表示／非表示を選択できるよう構成すると好適である。
【００１５】
ＯＳＤ処理部１０６は、ＯＳＤ情報２０２と、垂直のガイド線２０３と水平のガイド線２０４とを重畳した画像を、入出力Ｉ／Ｆ１０７を通して液晶モニター１０８に送る。
【００１６】
液晶モニター１０８は、ＯＳＤ処理部１０６から送られた画像を表示する。
【００１７】
操作部１１０は、各種のスイッチなどで構成されており、ユーザーが操作部１１０を操作すると、操作部１１０は操作信号を制御部１１１に送る。
【００１８】
液晶モニター１０８はまた、タッチパネルとなっており、ユーザーが画面に触れると、タッチ情報検出部１０９は、ユーザーがタッチした位置を検出し、その位置に応じた操作信号を制御部１１１に送る。
【００１９】
制御部１１１は、操作部１１０やタッチ情報検出部１０９から送られる操作信号に基づき、ビデオカメラ１０の各部を制御する。
[ＯＳＤ情報の例]
図２は、ビデオカメラ１０の液晶モニター１０８に表示するＯＳＤ情報２０２の例である。図２（ａ）は、初期状態で各種のアイコンや文字情報などのＯＳＤ情報２０２（２０２ａ〜２０２ｍ）を、画面上の周縁部に表示している例である。
ＯＳＤ情報２０２のうち、２０２ｂ、２０２ｃ、２０２ｄ、２０２ｅ、２０２ｆ、２０２ｉ、２０２ｌ、２０２ｍは、ビデオカメラの状態を表示する状態表示ＯＳＤ情報である。ＯＳＤ情報２０２ｂは記録画質の設定状態を表示する画質アイコンである。ＯＳＤ情報２０２ｃはＡＥ(Auto Exposure)／ＡＦ(Auto Focus)機能の設定状態を示すＡＥ／ＡＦアイコンで、本実施例ではＡＥ／ＡＦ機能が顔追尾に設定されている状態を示す。ＯＳＤ情報２０２ｄは現在時刻を示す。ＯＳＤ情報２０２ｅは手ぶれ補正機能の設定状態を示す手ぶれ補正アイコンで、本実施例では通常モードに設定されている状態を示す。ＯＳＤ情報２０２ｆは本体メモリからＳＤメモリカードへ連続して記録するシームレス撮影の設定状態を示すシームレス撮影アイコンで、本実施例ではＯＮに設定された状態を示す。ＯＳＤ情報２０２ｉは撮影モードを示す撮影モードアイコンで、本実施例ではインテリジェントオートに設定された状態を示す。ＯＳＤ情報２０２ｌはシーンカウンター、ＯＳＤ情報２０２ｍは撮影可能時間を示す。
【００２０】
一方、ＯＳＤ情報２０２ａ、２０２ｇ、２０２ｈ、２０２ｊ、２０２ｋは、ビデオカメラ１０の状態を表示するとともに、ユーザーがタッチすることで操作可能な操作ボタンとして機能する制御ＯＳＤ情報である。ＯＳＤ情報２０２ａは、顔認識に関連する設定のショートカット画面を表示させるためのフェイスショートカットメニューボタンである。ＯＳＤ情報２０２ｇは、ＯＳＤ情報の常時表示／一時表示を切り替える画面表示切換ボタンである。ＯＳＤ情報２０２ｈは、ズームレンズの倍率を操作するためのズームボタンである。ＯＳＤ情報２０２ｊは、撮影／再生モードを切り替えるための再生モード切替ボタンである。ＯＳＤ情報２０２ｋは、録画の開始／停止を指示するための録画開始／停止ボタンである。ＯＳＤ情報２０２ｎは、メニュー画面を表示させるためのメニューボタンである。
【００２１】
制御部１１１は、ＯＳＤ情報２０２の表示に必要な、ビデオカメラ１０の各種の状態をＯＳＤ処理部１０６に送る。ＯＳＤ処理部１０６は、制御部１１１から送られた各種の状態に従い、ＯＳＤ情報２０２を生成する。
【００２２】
また、ユーザーが制御ＯＳＤ情報２０２の表示されている位置にタッチしたことを、タッチ情報検出部１０９が検出すると、タッチ情報検出部１０９は、ユーザーがタッチした位置を検出し、その位置に応じた操作信号を入出力Ｉ／Ｆ１０７を通して制御部１１１に送る。制御部１１１は、タッチ情報検出部１０９から送られた操作信号と、制御ＯＳＤ情報２０２の表示されている位置とを照合し、ユーザーがタッチした制御ＯＳＤ情報２０２の種類に応じてビデオカメラ１０の各部を制御する。
【００２３】
[第１実施例（合焦評価値に基づくＯＳＤ情報の表示）]
以下、本発明の第１の実施例について、図５のフローチャートに基づき説明する。まず、フォーカス検出部１０３は、画像信号を複数の領域に分割する（ステップＳ５０１）。本実施例では、図２（ｂ）に示すように垂直のガイド線２０３ａ、２０３ｂと、水平のガイド線２０４ａ、２０４ｂとの位置で、画像信号を上下・左右にそれぞれ３等分して、９つの領域に分割するものとし、分割された領域を、図２（ｂ）で示すようにＡ〜Ｉであらわすものとする。
【００２４】
フォーカス検出部１０３は、画像信号を９つの領域に分割したら、領域ごとに合焦度合いを示す合焦評価値を算出する（ステップＳ５０２）。合焦評価値は、たとえばハイパスフィルタを用いて画像信号の高周波成分を抽出し、抽出した高周波成分を該当領域内で積算するといった周知の方法で算出することができる。
【００２５】
図３（ａ）に、被写体として、中央に大きな花３０１、その左下に小さな花３０２、右下にも小さな花３０３を撮像した画像の例を示す。いま、これら３つの花に焦点があっているものとする。フォーカス検出部１０３は、画像信号の高周波成分を抽出し、Ａ〜Ｉの領域ごとに抽出した高周波成分を積算することにより、各領域の合焦評価値を算出する。このときの合焦評価値の例を図４（ａ）の模式図に示す。図４（ａ）において、グラフの底面が、領域に分割された画像信号を示し、各領域から上に伸びた棒グラフが、その領域の合焦評価値を示している。
【００２６】
分割した領域の合焦評価値にあまり差がない場合は、撮像したい被写体がどこにあるかを適切に検出できていない恐れがある。そこで、最も小さい合焦評価値と、最も大きい合焦評価値との差を所定のしきい値と比較する（ステップＳ５０３）。しきい値以下の場合は、合焦評価値に基づくＯＳＤ情報の表示エリアの決定を行わず、初期設定の領域を表示エリアとする（ステップＳ５０４）。初期設定の表示エリアは、比較的邪魔になりにくいとされる場所、たとえば画面の周縁部や、画面の下側と左側のＬ字上の領域などにまとめて表示すると好ましい。
【００２７】
ステップＳ５０４で、合焦評価値の最大値と最小値の差がしきい値よりも大きい場合は、合焦評価値の最小の領域を表示エリアと決定する（ステップＳ５０５）。いま、図４（ａ）における合焦評価値で、最も小さな値は領域Ａのものであるので、本実施例では領域ＡをＯＳＤ情報の表示エリアと決定する。
【００２８】
ステップＳ５０４またはステップＳ５０５でＯＳＤ情報の表示エリアを決定したら、フォーカス検出部１０３は、決定した表示エリアの情報をＯＳＤ処理部１０６に送る（ステップＳ５０６）。ＯＳＤ処理部１０６は、画像信号の、フォーカス検出部１０３から送られた表示エリア、すなわち領域Ａに、ＯＳＤ情報２０２を重畳する（ステップＳ５０７）。ＯＳＤ処理部１０６は、ＯＳＤ情報２０２を重畳した画像信号を、入出力Ｉ／Ｆ１０７を通して液晶モニター１０８に送る。液晶モニター１０８は、ＯＳＤ処理部１０６から送られた画像信号を表示する（ステップＳ５０８）。
【００２９】
ＯＳＤ情報２０２を表示エリアに表示したら、タイマー処理により所定の時間の経過後に、再びステップＳ５０１に戻り、一連の処理を繰り返す（ステップＳ５０９）。常時ＯＳＤ情報の位置を移動させていると、かえって見づらくなる恐れがあるので、同一の位置に所定の時間ＯＳＤ情報を表示するものである。また、この所定の時間は、メニューからユーザーが設定可能とすることも好適である。
【００３０】
このようにしてＯＳＤ情報２０２を表示した例を図３（ｂ）に示す。図３（ｂ）からわかるように、撮影したい被写体である３つの花３０１、３０２、３０３と、ＯＳＤ情報２０２とが、重ならずに表示されるので、ＯＳＤ情報により被写体の画像が見にくくなることなく、ユーザーに被写体の画像とＯＳＤ情報とを同時に確認させることができる。
【００３１】
[第２実施例（隣接領域へのＯＳＤ情報の表示）]
ＯＳＤ情報２０２の数が多く、分割したひとつの領域に入りきらないなどの場合は、隣接する複数の領域を一組として、表示エリアとすると好適である。隣接する２つの領域を一組として表示エリアとする例を、第２実施例として図６のフローチャートに基づき以下に説明する。
【００３２】
まず、フォーカス検出部１０３は、第１実施例と同様、画像信号を複数の領域に分割し（ステップＳ６０１）、図４（ａ）のようにＡ〜Ｉの各領域の高周波成分の積算値を、各領域の合焦評価値として算出する（ステップＳ６０２）。
【００３３】
次にフォーカス検出部１０３は、隣接する２つの領域を一組として、すべての組ごとに合焦評価値を平均した平均合焦評価値を算出する（ステップＳ６０３）。隣接した２つの領域とは、本実施例では領域Ａと領域Ｂ、領域Ｂと領域Ｃ、領域Ｄと領域Ｅ、領域Ｅと領域Ｆ、領域Ｇと領域Ｈ、領域Ｈと領域Ｉ、領域Ａと領域Ｄ、領域Ｂと領域Ｅ、領域Ｃと領域Ｆ、領域Ｄと領域Ｇ、領域Ｅと領域Ｈ、領域Ｆと領域Ｉの１２組である。このときの平均合焦評価値の例を図４（ｂ）の模式図に示す。図４（ｂ）において、グラフの底面が、領域に分割された画像信号を示し、隣接する各領域（たとえば領域Ａと領域Ｂ）の中間から上に伸びた棒グラフ（たとえばＡ＋Ｂと示した棒グラフ）が、隣接する組（たとえば領域Ａと領域Ｂ）の平均合焦評価値を示している。
【００３４】
次に、最も小さい合焦評価値と、最も大きい合焦評価値との差を所定のしきい値と比較する（ステップＳ６０４）。しきい値以下の場合は、第１実施例と同様、合焦評価値に基づくＯＳＤ情報２０２の表示エリアの決定を行わず、初期設定の領域を表示エリアとする（ステップＳ６０５）。初期設定の表示エリアは、比較的邪魔になりにくいとされる場所、たとえば画面の周縁部や、画面の下側と左側のＬ字上の領域などにまとめて表示すると好ましい。
【００３５】
次に、フォーカス検出部１０３は、最も平均合焦評価値の小さい組をＯＳＤ情報２０２の表示エリアとする（ステップＳ６０６）。図４（ｂ）の例では、最も小さな平均合焦評価値は領域Ａ＋領域Ｄのものであるので、領域Ａ＋領域ＤをＯＳＤ情報の表示エリアと決定する。
【００３６】
ＯＳＤ情報２０２の表示エリアを決定したら、フォーカス検出部１０３は、決定した表示エリアの情報をＯＳＤ処理部１０６に送る（ステップＳ６０７）。ＯＳＤ処理部１０６は、画像信号の、フォーカス検出部１０３から送られた表示エリアに、ＯＳＤ情報２０２を重畳する（ステップＳ６０８）。ＯＳＤ処理部１０６は、ＯＳＤ情報２０２を重畳した画像信号を、入出力Ｉ／Ｆ１０７を通して液晶モニター１０８に送る。
【００３７】
液晶モニター１０８は、ＯＳＤ処理部１０６から送られた画像信号を表示する（ステップＳ６０９）。このときの液晶モニター１０８に表示された画像信号の例を図３（ｃ）に示す。
【００３８】
図３（ｃ）からわかるように、表示するＯＳＤ情報２０２が多い場合でも、合焦評価値の小さい隣接した２つの領域（領域Ａと領域Ｄ）にまたがってＯＳＤ情報２０２を表示するので、撮影したい被写体である３つの花３０１、３０２、３０３と、ＯＳＤ情報２０２とは重ならずに表示される。このため、ＯＳＤ情報２０２が多い場合でも、ＯＳＤ情報２０２により被写体の画像が見にくくなることなく、ユーザーに被写体の画像とＯＳＤ情報２０２とを同時に確認させることができる。
【００３９】
その後は第１実施例と同様、タイマー処理の後に（ステップＳ６１０）、一連の処理を繰り返す。
【００４０】
[第３実施例（ユーザーの操作に基づくＯＳＤ情報の表示）]
ユーザーが、ＯＳＤ情報２０２の表示位置を任意の位置に変更可能とすることも好適である。ユーザーはまず、メニューボタン２０２ｍを操作して、ＯＳＤ情報２０２の表示位置変更のモードとする。そしてタッチパネル上でＯＳＤ情報２０２を表示したい領域に触れる。タッチ情報検出部１０９がタッチパネル上でのユーザーの指示を検出すると、タッチされた領域を示す信号を制御部１１１に送る。制御部１１１は、タッチ情報検出部１０９から送られた領域の信号に基づき、その領域を表示エリアと決定する。表示エリアは、前述の第１実施例や第２実施例と同様、画面を分割したひとつの領域としたり、縦あるいは横に隣接した２つの領域などとする。表示エリアを決定したら、制御部１１１は、決定した表示エリアの情報をＯＳＤ処理部１０６に送る。ＯＳＤ処理部１０６は、送られた表示エリアに、ＯＳＤ情報２０２を重畳する。
【００４１】
ユーザーによる指示は、表示したい位置に触れる方法だけでなく、移動したいＯＳＤ情報２０２をドラッグ＆ドロップして、ひとつひとつのＯＳＤ情報２０２に対して移動したい位置を指示する方法で行ってもよい。あるいは、ＯＳＤ情報２０２をまとめてドラッグ＆ドロップ可能なように構成し、表示したい位置を指示する方法で行ってもよい。
【００４２】
また、本発明は上記した装置の機能をコンピューターに実現させるためのプログラムを含むものである。これらのプログラムは、記録媒体から読み取られコンピューターに取り込まれてもよいし、通信ネットワークを介して伝送されてコンピューターに取り込まれてもよい。
【符号の説明】
【００４３】
１０    ビデオカメラ
１０１  撮像部
１０２  画像処理部
１０３  フォーカス検出部
１０４  画像圧縮部
１０５  記録部
１０６  ＯＳＤ処理部
１０７  入出力Ｉ／Ｆ
１０８  液晶モニター
１０９  タッチ情報検出部
１１０  操作部
１１１  制御部
【図１】
2012234022.tif 000003
【図２】
2012234022.tif 000004
【図３】
2012234022.tif 000005
【図４】
2012234022.tif 000006
【図５】
2012234022.tif 000007
【図６】
2012234022.tif 000008